(57)【要約】【課題】発光素子の劣化を防止するとともに、決定する記録パワーＰｗのバラツキを低減して記録品質を向上させる。【解決手段】振幅測定部１５は、光ディスク２の試し書き領域にパワーＰを変化させながら記録した記録データの再生信号の振幅ｍを測定する。変化量演算部１６は測定した再生信号の振幅ｍの変化量γを計算する。記録パワー算出部１７は、試し書き領域に記録したパワーＰと変化量演算部１６で計算した振幅ｍの変化量γから光ディスク２で指定された変化量γｔに対応する基準パワーＰｔを求め、基準パワーＰｔの値に光ディスク２の種類と記録速度に対応する補正値αを加算し、加算した値を最適な記録パワーＰｗと決定する。【選択図】    図１
2004273078.tif 000002
【特許請求の範囲】
【請求項１】
書換え可能な光ディスクに設けられた試し書き領域にパワーＰを変化させながら記録し、記録したデータの再生信号の振幅ｍを測定し、パワーＰと振幅ｍの関係から最適な記録パワーＰｗを決定して設定する最適記録パワー決定方法において、
前記試し書き領域に記録したパワーＰに対する振幅ｍの変化量γを計算し、あらかじめ光ディスクで指定された基準変化量γｔが得られる基準パワーＰｔを求め、基準パワーＰｔに光ディスクの種類と記録速度に対応する補正値αを加算して最適な記録パワーＰｗを決定することを特徴とする最適記録パワー決定方法。
【請求項２】
書換え可能な光ディスクに設けられた試し書き領域にパワーＰを変化させながら記録し、記録したデータの再生信号の振幅ｍを測定し、パワーＰと振幅ｍの関係から最適な記録パワーＰｗを決定して設定する最適記録パワー決定方法において、
前記試し書き領域に記録したパワーＰに対する振幅ｍの変化量γを計算し、あらかじめ光ディスクで指定された基準変化量γｔが得られる基準パワーＰｔを求め、基準パワーＰｔに光ディスクの種類と記録速度に対応する補正値αを加算して最適な記録パワーＰｗを決定し、決定した記録パワーＰｗにより光ディスクのデータ記録領域にデータを記録させ、データ記録領域に記録したデータを再生し、記録データが正常に再生されたか否を判定し、記録データが正常に再生できない場合、決定した記録パワーＰｗと異なる記録パワーで同じデータ記憶領域に再度同じデータを記録させ、記録パワーを変えて記録したデータを再生して正常に再生できた場合、そのときの記録パワーＰｗの値から前記基準パワーＰｔの値を減算した値を新しい補正値αとして算出し、算出した新しい補正値αを記憶させることを特徴とする最適記録パワー決定方法。
【請求項３】
書換え可能な光ディスクにレーザビームを照射してデータ記録する光ディスク装置において、
振幅測定部と変化量演算部及び記録パワー算出部を有し、前記振幅測定部は、光ディスクの試し書き領域にパワーＰを変化させながら記録した記録データの再生信号の振幅ｍを測定し、前記変化量演算部は測定した再生信号の振幅ｍの変化量γを計算し、前記記録パワー算出部は、試し書き領域に記録したパワーＰと変化量演算部で計算した振幅ｍの変化量γから光ディスクで指定された変化量γｔに対応する基準パワーＰｔを求め、基準パワーＰｔの値に光ディスクの種類と記録速度に対応する補正値αを加算し、加算した値を最適な記録パワーＰｗと決定することを特徴とする光ディスク装置。
【請求項４】
書換え可能な光ディスクにレーザビームを照射してデータ記録し、記録したデータを再生する制御手段を有するする光ディスク装置において、
振幅測定部と変化量演算部と記録パワー算出部とリトライ記録部及び補正値再設定部を有し、
前記振幅測定部は、光ディスクの試し書き領域にパワーＰを変化させながら記録した記録データの再生信号の振幅ｍを測定し、前記変化量演算部は測定した再生信号の振幅ｍの変化量γを計算し、前記記録パワー算出部は、試し書き領域に記録したパワーＰと変化量演算部で計算した振幅ｍの変化量γから光ディスクで指定された基準変化量γｔに対応する基準パワーＰｔを求め、基準パワーＰｔの値に光ディスクの種類と記録速度に対応する補正値αを加算し、加算した値を最適な記録パワーＰｗと決定し、
前記制御手段は、決定した記録パワーＰｗにより光ディスクのデータ記録領域にデータを記録させ、データ記録領域に記録したデータを再生し、記録データが正常に再生されたか否を判定し、
前記リトライ記録部は、前記記録データが正常に再生できない場合、決定した記録パワーＰｗと異なる記録パワーで同じデータ記憶領域に再度同じデータを記録させ、前記補正値再設定部は、前記リトライ記録部で記録パワーを変えて記録したデータを前記制御手段で再生して正常に再生できた場合、そのときの記録パワーＰｗの値から前記基準パワーＰｔの値を減算した値を新しい補正値αとして算出し、算出した新しい補正値αを記憶部に記憶させることを特徴とする光ディスク装置。
【請求項５】
前記補正値再設定部は、前記新しい補正値αを光ディスクに記録する請求項３記載の光ディスク装置。
【請求項６】
請求項４記載の光ディスク装置で算出した新しい補正値αを最適な基準変化量γｔとともに保持していることを特徴とする光ディスク。
【発明の詳細な説明】
【０００１】
【発明の属する技術分野】
この発明は、書換可能な光ディスクの最適記録パワー決定方法と光ディスク装置及び光ディスクに関するものである。
【０００２】
【従来の技術】
【特許文献１】特開２００１−３０７３２６号公報
書換可能な光ディスク装置において、レーザ光を用いて光ディスクにデータを記録するに先立って最適記録パワーを求めるためにＯＰＣ（Ｏｐｔｉｍｕｍ  Ｐｏｗｅｒ  Ｃｏｎｔｒｏｌ）と呼ばれる記録パワー最適化を行う必要がある。このＯＰＣを行う領域はＰＣＡ（Ｐｏｗｅｒ  Ｃａｌｉｂｒａｔｉｏｎ  Ａｒｉａ）といわれ、試し書き領域とカウント領域という２つの領域から形成されている。このＰＣＡ２０は、図２の光ディスク２の内周から外周までの断面図に示すように、光ディスク２の最も内周に設けられている。このＰＣＡ２０の外側にプログラムメモリ領域［ＰＭＡ（Ｐｒｏｇｒａｍ  Ｍｅｍｏｒｅｙ  Ａｒｅａ）］２１が設けられ、ＰＭＡ２１の外側にデータ記録領域２２が設けられている。
【０００３】
ＰＣＡの試し書き領域は１５セクター毎に１００のパーティションに分割されている。ここでセクターとは光ディスク上の記録領域の最小単位である。ＯＰＣを行う際は、試し書き領域の１つのパーティションでセクター毎に記録パワーを変えて記録を行い、その部分を再生することによって最も記録品質の良いパワーを探し出し、そのパワーを記録パワーとする。現在、一般的に用いられているＯＰＣの方法は、試し書き領域に記録パワーを変化させながら記録し、この記録データの再生信号振幅ｍを測定し、パワーＰに対する振幅ｍの変化量γを次式で計算している。
γ＝（Δｍ／ΔＰ）／（ｍ／Ｐ）
そして、あらかじめ光ディスクで指定された変化量γｔが得られる基準パワーＰｔを求め、パワーＰｔに補正値ρを乗算して得られた値Ｐｗ＝Ｐｔ＊ρを記録パワーとして決定している。
【０００４】
このように基準パワーＰｔに補正値ρを乗算して記録パワーＰｗを決定していると、光ディスク装置と同じ光ディスクの組み合わせであっても、繰り返しＯＰＣを行った場合に、基準パワーＰｔのバラツキも積算され、決定する記録パワーＰｗのバラツキが大きくなることが問題となっている。この記録パワーＰｗのバラツキが大きくなると、決定する記録パワーＰｗが本来の最適記録パワーの値から離れた値になる確率が高くなる。このように最適記録パワーから離れた記録パワーＰｗで記録した場合、記録品質が悪くなるため、決定する記録パワーＰｗのバラツキは小さくする必要がある。
【０００５】
この決定する記録パワーＰｗのバラツキは小さくするため、特許文献１に示された光ディスク装置では、ＰＣＡの試し書き領域にＯＰＣで記録パワーを変化させながら記録し、この記録データの再生信号振幅ｍを測定し、再生信号振幅ｍが最大になる記録パワーの再生信号振幅ｍにある１未満の数値Ｋを乗算し、その再生信号振幅の値に対応するパワーを記録パワーＰｗとしている。
【０００６】
【発明が解決しようとする課題】
特許文献１に示された再生信号振幅ｍが最大になる記録パワーは、最適な記録パワーよりも大きい値である。したがって、試し書き領域に記録するパワーは十分に大きくしなければならないが、必要以上に大きなパワーで発光素子を発光することは発光素子の劣化に繋がってしまうという短所がある。
【０００７】
この発明はこのような短所を改善し、発光素子の劣化を防止するとともに、決定する記録パワーＰｗのバラツキを低減して記録品質を向上することができる光ディスクの最適記録パワー決定方法と光ディスク装置及び光ディスクを提供することを目的とするものである。
【０００８】
また、実際に光ディスクに記録したときに、データが正しく記録されなかったと場合、記録パワーを再設定して市場における不具合発生率を低減することを目的とする。
【０００９】
【課題を解決するための手段】
この発明の最適記録パワー決定方法は、書換え可能な光ディスクに設けられた試し書き領域にパワーＰを変化させながら記録し、記録したデータの再生信号の振幅ｍを測定し、パワーＰと振幅ｍの関係から最適な記録パワーＰｗを決定して設定する最適記録パワー決定方法において、試し書き領域に記録したパワーＰに対する振幅ｍの変化量γを計算し、あらかじめ光ディスクで指定された基準変化量γｔが得られる基準パワーＰｔを求め、基準パワーＰｔに光ディスクの種類と記録速度に対応する補正値αを加算して最適な記録パワーＰｗを決定し、記録パワーＰｗのバラツキを低減する。
【００１０】
この発明の他の最適記録パワー決定方法は、書換え可能な光ディスクに設けられた試し書き領域にパワーＰを変化させながら記録し、記録したデータの再生信号の振幅ｍを測定し、パワーＰと振幅ｍの関係から最適な記録パワーＰｗを決定して設定する最適記録パワー決定方法において、試し書き領域に記録したパワーＰに対する振幅ｍの変化量γを計算し、あらかじめ光ディスクで指定された基準変化量γｔが得られる基準パワーＰｔを求め、基準パワーＰｔに光ディスクの種類と記録速度に対応する補正値αを加算して最適な記録パワーＰｗを決定し、決定した記録パワーＰｗにより光ディスクのデータ記録領域にデータを記録させ、データ記録領域に記録したデータを再生し、記録データが正常に再生されたか否を判定し、記録データが正常に再生できない場合、決定した記録パワーＰｗと異なる記録パワーで同じデータ記憶領域に再度同じデータを記録させ、記録パワーを変えて記録したデータを再生して正常に再生できた場合、そのときの記録パワーＰｗの値から前記基準パワーＰｔの値を減算した値を新しい補正値αとして算出し、算出した新しい補正値αを記憶させることを特徴とする。
【００１１】
この発明の光ディスク装置は、書換え可能な光ディスクにレーザビームを照射してデータ記録する光ディスク装置において、振幅測定部と変化量演算部及び記録パワー算出部を有し、振幅測定部は、光ディスクの試し書き領域にパワーＰを変化させながら記録した記録データの再生信号の振幅ｍを測定し、変化量演算部は測定した再生信号の振幅ｍの変化量γを計算し、記録パワー算出部は、試し書き領域に記録したパワーＰと変化量演算部で計算した振幅ｍの変化量γから光ディスクで指定された変化量γｔに対応する基準パワーＰｔを求め、基準パワーＰｔの値に光ディスクの種類と記録速度に対応する補正値αを加算し、加算した値を最適な記録パワーＰｗと決定することを特徴とする。
【００１２】
この発明の他の光ディスク装置は、書換え可能な光ディスクにレーザビームを照射してデータ記録し、記録したデータを再生する制御手段を有するする光ディスク装置において、振幅測定部と変化量演算部と記録パワー算出部とリトライ記録部及び補正値再設定部を有し、振幅測定部は、光ディスクの試し書き領域にパワーＰを変化させながら記録した記録データの再生信号の振幅ｍを測定し、変化量演算部は測定した再生信号の振幅ｍの変化量γを計算し、記録パワー算出部は、試し書き領域に記録したパワーＰと変化量演算部で計算した振幅ｍの変化量γから光ディスクで指定された基準変化量γｔに対応する基準パワーＰｔを求め、基準パワーＰｔの値に光ディスクの種類と記録速度に対応する補正値αを加算し、加算した値を最適な記録パワーＰｗと決定し、制御手段は、決定した記録パワーＰｗにより光ディスクのデータ記録領域にデータを記録させ、データ記録領域に記録したデータを再生し、記録データが正常に再生されたか否を判定し、リトライ記録部は、前記記録データが正常に再生できない場合、決定した記録パワーＰｗと異なる記録パワーで同じデータ記憶領域に再度同じデータを記録させ、補正値再設定部は、リトライ記録部で記録パワーを変えて記録したデータを制御手段で再生して正常に再生できた場合、そのときの記録パワーＰｗの値から前記基準パワーＰｔの値を減算した値を新しい補正値αとして算出し、算出した新しい補正値αを記憶部に記憶させることを特徴とする。
【００１３】
前記補正値再設定部は、前記新しい補正値αを光ディスクに記録することが望ましい。
【００１４】
この発明の光ディスクは、前記補正値再設定部で算出した新しい補正値αを最適な基準変化量γｔとともに保持していることを特徴とする。
【００１５】
【発明の実施の形態】
図１はこの発明の光ディスク装置の構成を示すブロック図である。光ディスク装置１は、光ディスク２を回転する回転モータ３とピックアップ４とコントローラ５とレーザパワー制御部６と再生信号検出部７とピーク検出部８及びボトム検出部９を有する。ピックアップ４にはレーザ光源と光学系を有し、回転モータ３で回転している光ディスク２の記録面に、レーザ光源から出射したレーザビームを照射してデータの記録と再生を行う。
【００１６】
コントローラ５は、ＣＰＵ１０と、各種プログラムや各種データを記憶するメモリ１１と、ピーク検出部８からの信号を入力するＡ／Ｄ変換部１２と、ボトム検出部９からの信号を入力するＡ／Ｄ変換部１３と、レーザパワー制御部６にパワー指令信号を出力するＤ／Ａ変換部１４と、振幅測定部１５と変化量演算部１６と記録パワー算出部１７とリトライ記録部１８及び補正値再設定部１９を有する。振幅測定部１５は、図２に示すように光ディスク２に記録するときに最適記録パワーを求めるためにＯＰＣで光ディスク２のＰＣＡの試し書き領域に記録パワーを変化させながら記録した記録データの再生信号振幅ｍを測定する。変化量演算部１６は測定した再生信号振幅ｍの変化量γを計算する。記録パワー算出部１７は計算した変化量γから記録パワーＰＷを決定する。リトライ記録部１８は、光ディスク２の記録領域にデータが正しく記録されなかったとき、同じ領域に再度同じデータを異なる記録パワーで記録させる。補正値再設定部１９は、光ディスク２の記録領域にデータが正しく記録されたときの記録パワーＰｗから補正値αを計算により求め、その値を光ディスク２に再設定させる。
【００１７】
この光ディスク装置１で光ディスク２にデータを記録するときは、コントローラ５からのパワー指令信号によりレーザパワー制御部６でピックアップ４のレーザ光源を制御して、レーザ光源から出射するレーザビームのパワーを変調する。このレーザビームを光ディスク２のデータ記録領域に照射してデータを記録する。また、光ディスク２に記録されたデータを再生するときは、ピックアップ４で光ディスク２に照射したレーザビームの反射光をピックアップ４に設けた受光素子で受光し、受光素子から出力するデータ信号を再生信号検出部７で増幅し、ピーク検出部８とボトム検出部９により、その上側ピークレベルのＰＫ信号と下側ボトムレベルのＢＴ信号を検出する。この検出したＰＫ信号とＢＫ信号はコントローラ５のＡ／Ｄ変換部１２，１３にそれぞれ入力する。
【００１８】
この光ディスク装置１で、光ディスク２にデータを記録するに先立って記録パワー最適化するＯＰＣ処理を行うときの動作を、図３のフローチャートを参照して説明する。
【００１９】
光ディスク２にデータを記録するためにＯＰＣ処理を開始すると、ＣＰＵ１０は、データを記録する光ディスク２の種類と記録速度に対応する補正値αをメモリ１１から取得する（ステップＳ１）。そしてレーザパワー制御部６で光ピックアップ４のレーザ光源を制御してレーザビームを出射させ、光ディスク２のＰＣＡの試し書き領域にパワーを変化させてレーザビームを照射する（ステップＳ２）。この試し書き領域の再生信号を再生信号検出部７からピーク検出部８とボトム検出部９を介してコントローラ５のＡ／Ｄ変換部１２，１３にそれぞれ入力してａ／Ｄ変換してメモリ１１に格納する（ステップＳ３）。振幅幅測定部１５は、入力した上側ピークレベルのＰＫ信号と下側ボトムレベルのＢＴ信号から各セクターの振幅ｍを求め変化量演算部１６に送る（ステップＳ４）。変化量演算部１６は、送られた各セクターのパワーＰに対する振幅ｍの変化量γを下記式で計算する（ステップＳ４）。
γ＝（Δｍ／ΔＰ）／（ｍ／Ｐ）
記録パワー算出部１７は、パワーＰと変化量演算部１６で計算した振幅ｍの変化量γの関係から光ディスク２で指定された変化量γｔに対応する基準パワーＰｔを求める（ステップＳ５）。そして、基準パワーＰｔの値に補正値αを加算し、加算したＰｗ＝（Ｐｔ＋α）を記録パワーＰｗとする（ステップＳ６）。
【００２０】
このように基準パワーＰｔの値に補正値αを加算して記録パワーＰｗを決定することにより、記録パワーＰｗのバラツキを低減して記録品質を向上することができる。また、ＯＣＰ処理をするとき、ビックアップ４のレーザ光源の発光素子を最適な記録パワーで発光させれば良いから、発光素子が劣化することを防ぐことができる。
【００２１】
このＯＣＰ処理が終了した後、光ディスク２のデータ記録領域２２にデータを記録する時の処理を図４のフローチャートを参照して説明する。
【００２２】
コントローラ５のＣＰＵ１０はＯＰＣ処理で記録パワーＰｗを決定した後（ステップＳ１１）、決定した記録パワーＰｗによりレーザパワー制御部６によりピックアップ４のレーザ光源を制御させて光ディスク２のデータ記録領域２２にデータを記録させる（ステップＳ１２）。その後、データ記録領域２２に記録したデータを再生させる（ステップＳ１３）。この記録データを再生したとき、記録データが再生できない場合、ＣＰＵ１０は、記録データが再生できないことを示す信号をリトライ記録部１８に送る（ステップＳ１４）。リトライ記録部１８は、記録データが再生できないことを示す信号を受けると、決定した記録パワーＰｗに一定値Ｘを加えて記録パワーＰｗを大きくして同じデータ記憶領域２２に再度同じデータを記録する（ステップＳ１５，Ｓ１２）。その後、再びデータ記録領域２２に記録したデータを再生させる（ステップＳ１３）。この記録データを再生したとき、記録データが再生できた場合、ＣＰＵ１０は、記録データが再生できたことを示す信号を補正値再設定部１９に送る（ステップＳ１４）。補正値再設定部１９は記録データが再生できたことを示す信号が送られると、このときの記録パワーＰｗの値からＯＰＣ処理時に求めた基準パワーＰｔの値を減算した値を新しい補正値αとして算出し（ステップＳ１６）、算出した新しい補正値αをメモリ１１に上書きして更新する（ステップＳ１７）。また、新しい補正値αと光ディスク２に最適な基準変化量γｔを光ディスク２のＰＭＡ領域２１に記録する（ステップＳ１８）。
【００２３】
このように記録データを再生したときに記録データが再生できない場合、補正値αを調整し、再設定する学習機能を持たせることにより、光ディスク装置の生産段階で最適ではない補正値αを記憶している場合であっても、最適な補正値に調整することができ、光ディスク装置１で自ら記録品質を向上させることができ、市場での不具合発生率を低減させることができる。
【００２４】
また、新しい補正値αと光ディスク２に最適な基準変化量γｔを光ディスク２のＰＭＡ領域２１に記録することにより、最適な記録パワーＰｗを常に得ることができ、良質な記録を行うことができる。
【００２５】
前記説明では、リトライ記録部１８で、記録データが再生できないとき、決定した記録パワーＰｗを大きくした場合について説明したが、記録パワーをある程度大きくしても記録が正しく行われなかった場合、次に記録パワーを小さくしてリトライ記録しても良い。
【００２６】
また、前記説明ではＯＰＣ処理を振幅測定部１５と変化量演算部１６及び記録パワー算出部１７で行い記録パワーＰＷを決定し、記録パワーＰｗが最適でない場合、リトライ記録部１８で同じ領域に再度同じデータを異なる記録パワーＰｗで記録し、補正値再設定部１９で光ディスク２に最適な補正値αをメモリ１１に更新し、新しい補正値αと光ディスク２に最適な基準変化量γｔを光ディスク２に記録する場合について説明したが、これらの処理プログラムをメモリ２２に格納しておき、ＣＰＵ１０で処理プログラムを実行して各光ディスク２に最適な記録パワーＰｗを決定するようにしても良い。
【００２７】
【発明の効果】
この発明は以上説明したように、試し書き領域に記録したパワーＰに対する振幅ｍの変化量γを計算し、あらかじめ光ディスクで指定された基準変化量γｔが得られる基準パワーＰｔを求め、基準パワーＰｔに光ディスクの種類と記録速度に対応する補正値αを加算して最適な記録パワーＰｗを決定することにより、記録パワーＰｗのバラツキを低減して記録品質を向上することができる。
【００２８】
また、ＯＣＰ処理をするとき、レーザ光源の発光素子を最適な記録パワーで発光させれば良いから、発光素子が劣化することを防ぐことができる。
【００２９】
さらに、決定した記録パワーＰｗにより光ディスクのデータ記録領域にデータを記録させ、データ記録領域に記録したデータを再生したとき、記録データが正常に再生できない場合、決定した記録パワーＰｗと異なる記録パワーで同じデータ記憶領域に再度同じデータを記録させ、記録パワーを変えて記録したデータを再生して正常に再生できた場合、そのときの記録パワーＰｗの値から新しい補正値αを算出するから、光ディスク装置の生産段階で最適ではない補正値αを記憶している場合であっても、最適な補正値に調整することができ、光ディスク装置で自ら記録品質を向上させることができ、市場での不具合発生率を低減させることができる。
【００３０】
この算出した新しい補正値αを記憶部に記憶することにより、常に最適な記録パワーで記録を行うことができる。
【００３１】
また、算出した新しい補正値αを最適な基準変化量γｔとともに光ディスクに保持することにより、データを記録するとき常に最適な記録パワーを決定して記録品質を向上することができる。
【図面の簡単な説明】
【図１】この発明の光ディスク装置の構成を示すブロック図である。
【図２】光ディスクの内周から外周までの構成を示す断面図である。
【図３】ＯＰＣ処理を示すフローチャートである。
【図４】光ディスクのデータ記録領域にデータを記録するときの処理を示すフローチャートである。
【符号の説明】
１；光ディスク装置、２；光ディスク、３；回転モータ、４；ピックアップ、
５；コントローラ、６；レーザパワー制御部、７；再生信号検出部、
８；ピーク検出部、９；ボトム検出部、１０；ＣＰＵ、１１；メモリ、
１２，１３；Ａ／Ｄ変換部、１４；Ｄ／Ａ変換部、１５；振幅測定部、
１６；変化量演算部、１７；記録パワー算出部、１８；リトライ記録部、
１９；補正値再設定部。
【図１】
2004273078.tif 000003
【図２】
2004273078.tif 000004
【図３】
2004273078.tif 000005
【図４】
2004273078.tif 000006